(57)【特許請求の範囲】
【請求項１】
物体側から順に、負の屈折力を持つ第１レンズ群、正の屈折力を持つ第２レンズ群、正の屈折力を持つ第３レンズ群、及び負の屈折力を持つ第４レンズ群から構成され、短焦点距離端から長焦点距離端への変倍に際し、第１レンズ群と第２レンズ群のレンズ群間隔が減少し、第２レンズ群と第３レンズ群のレンズ群間隔が減少するズームレンズ系において、
第１レンズ群は、物体側から順に、負レンズ、及びその物体側の面が物体側に凸であり正の屈折力を持つ反射プリズムから構成されており、
第４レンズ群は、負の屈折力を持つ反射プリズムから構成されており、
次の条件式（１）を満足することを特徴とするズームレンズ系。
（１）Ｐ２νｄ＜３２
但し、
Ｐ２νｄ：第４レンズ群を構成する反射プリズムのｄ線に対するアッベ数。
【請求項２】
請求項１記載のズームレンズ系において、第４レンズ群を構成する反射プリズムは、その物体側の面が物体側に凸であり、その像側の面が像側に凹であり、次の条件式（２）及び（３）を満足するズームレンズ系。
（２）２．５＜Ｐ２Ｒ１／ｆｗ＜６．８
（３）２．０＜Ｐ２Ｒ２／ｆｗ＜４．３
但し、
Ｐ２Ｒ１：第４レンズ群を構成する反射プリズムの物体側の面の曲率半径、
Ｐ２Ｒ２：第４レンズ群を構成する反射プリズムの像側の面の曲率半径、
ｆｗ：短焦点距離端における全系の焦点距離。
【請求項３】
請求項１または２記載のズームレンズ系において、次の条件式（４）を満足するズームレンズ系。
（４）Ｐ１νｄ＜２８
但し、
Ｐ１νｄ：第１レンズ群中の反射プリズムのｄ線に対するアッベ数。
【請求項４】
請求項１ないし３のいずれか１項記載のズームレンズ系において、次の条件式（５）を満足するズームレンズ系。
（５）１．１＜ｆｔ／ｆ２＜１．５
但し、
ｆｔ：長焦点距離端における全系の焦点距離、
ｆ２：第２レンズ群の焦点距離。
【請求項５】
請求項１ないし４のいずれか１項記載のズームレンズ系において、第４レンズ群を構成する反射プリズムは、その物体側の面と像側の面の少なくとも一面が非球面であるズームレンズ系。
【請求項６】
請求項１ないし５のいずれか１項記載のズームレンズ系において、第１レンズ群中の反射プリズムは、その物体側の面と像側の面の少なくとも一面が非球面であるズームレンズ系。
【発明の詳細な説明】
【技術分野】
【０００１】
本発明は、いわゆる屈曲式のズームレンズ系に関する。
【背景技術】
【０００２】
近年のデジタルカメラにおける需要として、小型化（特に薄型化）が強く要望されている。薄型化の手段として、レンズ系内に光路を折り曲げるプリズムまたはミラー等の反射部材を配置する屈曲光学系が知られている。例えば特許文献１には、光学系の物体側と像側にそれぞれ屈折力を持たせた反射プリズムを配置して光学レンズの役割を担わせることで、レンズ枚数の削減、レンズ全長の短縮化（薄型化）を図ったズームレンズ系が開示されている。
【先行技術文献】
【特許文献】
【０００３】
【特許文献１】特開２００６−１５４７０２号公報
【発明の概要】
【発明が解決しようとする課題】
【０００４】
レンズ系の小型化を達成するためにはレンズ全長の短縮は不可欠だが、高変倍化のために長焦点距離端の焦点距離をより望遠側へ伸ばして変倍比を稼ごうとすると、レンズ全長も増加してしまうためレンズ系の小型化が難しい。従って、小型で高変倍なズームレンズ系を達成するには、短焦点距離端の焦点距離を短くしてより広角側へ持っていく方が良い。
【０００５】
しかし、特許文献１のズームレンズ系にあっては、第１レンズ群が屈折力を持たせた反射プリズムのみで構成されているため、より焦点距離を短くして広角化させた場合の倍率色収差を補正しきれず、収差とのバランスを考えると高変倍化は難しい。実際に特許文献１記載のズームレンズ系は、変倍比が２倍程度しかなく、市場における高スペック要望を満足しているとは言えない。
【０００６】
本発明は従って、変倍比が２．８〜３．０倍程度で、広角化を可能とした小型で高性能なズームレンズ系を得ることを目的とする。
【課題を解決するための手段】
【０００７】
本発明のズームレンズ系は、物体側から順に、負の屈折力を持つ第１レンズ群、正の屈折力を持つ第２レンズ群、正の屈折力を持つ第３レンズ群、及び負の屈折力を持つ第４レンズ群から構成され、短焦点距離端から長焦点距離端への変倍に際し、第１レンズ群と第２レンズ群のレンズ群間隔が減少し、第２レンズ群と第３レンズ群のレンズ群間隔が減少するズームレンズ系において、第１レンズ群は、物体側から順に、負レンズ、及びその物体側の面が物体側に凸であり正の屈折力を持つ反射プリズムから構成されており、第４レンズ群は、負の屈折力を持つ反射プリズムから構成されており、次の条件式（１）を満足することを特徴としている。
（１）Ｐ２νｄ＜３２
但し、
Ｐ２νｄ：第４レンズ群を構成する反射プリズムのｄ線に対するアッベ数、
である。
【０００８】
本発明のズームレンズ系は、第４レンズ群を構成する反射プリズムが、その物体側の面（入射面）が物体側に凸であり、その像側の面（出射面）が像側に凹であり、さらに次の条件式（２）及び（３）を満足することが好ましい。
（２）２．５＜Ｐ２Ｒ１／ｆｗ＜６．８
（３）２．０＜Ｐ２Ｒ２／ｆｗ＜４．３
但し、
Ｐ２Ｒ１：第４レンズ群を構成する反射プリズムの物体側の面（入射面）の曲率半径[mm]、
Ｐ２Ｒ２：第４レンズ群を構成する反射プリズムの像側の面（出射面）の曲率半径[mm]、
ｆｗ：短焦点距離端における全系の焦点距離、
である。
【００１０】
本発明のズームレンズ系は、さらに次の条件式（４）を満足することが好ましい。
（４）Ｐ１νｄ＜２８
但し、
Ｐ１νｄ：第１レンズ群中の反射プリズムのｄ線に対するアッベ数、
である。
【００１１】
本発明のズームレンズ系は、さらに次の条件式（５）を満足することが好ましい。
（５）１．１＜ｆｔ／ｆ２＜１．５
但し、
ｆｔ：長焦点距離端における全系の焦点距離[mm]、
ｆ２：第２レンズ群の焦点距離[mm]、
である。
【００１２】
第４レンズ群を構成する反射プリズムは、その物体側の面（入射面）と像側の面（出射面）の少なくとも一面を非球面とすることができる。
【００１３】
第１レンズ群中の反射プリズムは、その物体側の面（入射面）と像側の面（出射面）の少なくとも一面を非球面とすることができる。
【発明の効果】
【００１４】
本発明によれば、変倍比が２．８〜３．０倍程度で、広角化を可能とした小型で高性能なズームレンズ系を得ることができる。
【図面の簡単な説明】
【００１５】
【図１】本発明によるズームレンズ系の数値実施例１の長焦点距離端における無限遠合焦時のレンズ構成図である。
【図２】図１の構成における諸収差図である。
【図３】同数値実施例１の中間焦点距離における無限遠合焦時のレンズ構成図である。
【図４】図３の構成における諸収差図である。
【図５】同数値実施例１の短焦点距離端における無限遠合焦時のレンズ構成図である。
【図６】図５の構成における諸収差図である。
【図７】本発明によるズームレンズ系の数値実施例２の長焦点距離端における無限遠合焦時のレンズ構成図である。
【図８】図７の構成における諸収差図である。
【図９】同数値実施例２の中間焦点距離における無限遠合焦時のレンズ構成図である。
【図１０】図９の構成における諸収差図である。
【図１１】同数値実施例２の短焦点距離端における無限遠合焦時のレンズ構成図である。
【図１２】図１１の構成における諸収差図である。
【図１３】本発明によるズームレンズ系の数値実施例３の長焦点距離端における無限遠合焦時のレンズ構成図である。
【図１４】図１３の構成における諸収差図である。
【図１５】同数値実施例３の中間焦点距離における無限遠合焦時のレンズ構成図である。
【図１６】図１５の構成における諸収差図である。
【図１７】同数値実施例３の短焦点距離端における無限遠合焦時のレンズ構成図である。
【図１８】図１７の構成における諸収差図である。
【図１９】本発明によるズームレンズ系の数値実施例４の長焦点距離端における無限遠合焦時のレンズ構成図である。
【図２０】図１９の構成における諸収差図である。
【図２１】同数値実施例４の中間焦点距離における無限遠合焦時のレンズ構成図である。
【図２２】図２１の構成における諸収差図である。
【図２３】同数値実施例４の短焦点距離端における無限遠合焦時のレンズ構成図である。
【図２４】図２３の構成における諸収差図である。
【図２５】本発明によるズームレンズ系の数値実施例５の長焦点距離端における無限遠合焦時のレンズ構成図である。
【図２６】図２５の構成における諸収差図である。
【図２７】同数値実施例５の中間焦点距離における無限遠合焦時のレンズ構成図である。
【図２８】図２７の構成における諸収差図である。
【図２９】同数値実施例５の短焦点距離端における無限遠合焦時のレンズ構成図である。
【図３０】図２９の構成における諸収差図である。
【図３１】本発明によるズームレンズ系のズーム軌跡を示す簡易移動図である。
【図３２】本発明によるズームレンズ系を撮像ユニットに組み込んだ状態を示す概念図である。
【発明を実施するための形態】
【００１６】
本実施形態のズームレンズ系は、図３１の簡易移動図に示すように、物体側から順に、負の屈折力を持つ第１レンズ群Ｇ１、正の屈折力を持つ第２レンズ群Ｇ２、正の屈折力を持つ第３レンズ群Ｇ３、及び負の屈折力を持つ反射プリズムＰＲ２から構成されている。負の屈折力を持つ反射プリズムＰＲ２は、負の屈折力を持つ第４レンズ群Ｇ４を構成している。第２レンズ群Ｇ２の物体側の面に接する光軸直交面上に位置する絞りＳ（図３１では第２レンズ群Ｇ２よりやや物体側に描いている）は、第２レンズ群Ｇ２と一体に移動する。Ｉは像面である。第３レンズ群Ｇ３は、フォーカシング時に移動するフォーカスレンズ群である（無限遠物体から有限距離物体へ合焦させるに際し第３レンズ群Ｇ３を像側に移動させてフォーカシングを行う）。
【００１７】
このズームレンズ系は、短焦点距離端（ＷＩＤＥ）から長焦点距離端（ＴＥＬＥ）への変倍（ズーミング）に際し、第１レンズ群Ｇ１と第２レンズ群Ｇ２のレンズ群間隔が減少し、第２レンズ群Ｇ２と第３レンズ群Ｇ３のレンズ群間隔が減少し、第３レンズ群Ｇ３と反射プリズムＰＲ２の間隔が増加する。
より具体的には、図３１の簡易移動図に示すように、全数値実施例１−５を通じて、短焦点距離端から長焦点距離端への変倍に際し、第１レンズ群Ｇ１は光軸方向の位置（像面Ｉとの距離）が固定されており、第２レンズ群Ｇ２は単調に物体側に移動し、第３レンズ群Ｇ３は一旦像側に移動した後に全体として物体側に移動し、反射プリズムＰＲ２は光軸方向の位置（像面Ｉとの距離）が固定されている。
【００１８】
第１レンズ群Ｇ１は、全数値実施例１−５を通じて、物体側から順に、両凹負レンズ１１、及び正の屈折力を持つ反射プリズムＰＲ１からなる。反射プリズムＰＲ１は、全数値実施例１−５を通じて、その物体側の面（入射面）が物体側に凸であり、その像側の面（出射面）が像側に凹である。反射プリズムＰＲ１は、数値実施例１−３、５では、その物体側の面（入射面）と像側の面（出射面）の両面が非球面であり、数値実施例４では、その物体側の面（入射面）と像側の面（出射面）の両面が球面である（非球面ではない）。
【００１９】
第２レンズ群Ｇ２は、全数値実施例１−５を通じて、物体側から順に、両凸正レンズ２１、及び物体側に凸の負メニスカスレンズ２２からなる。両凸正レンズ２１は、全数値実施例１−５を通じて、その両面が非球面である。
【００２０】
第３レンズ群Ｇ３は、全数値実施例１−５を通じて、１枚の像側に凸の平凸正レンズ３１からなる。平凸正レンズ３１は、全数値実施例１−５を通じて、その両面が非球面である。
【００２１】
負の屈折力を持つ反射プリズムＰＲ２は、全数値実施例１−５を通じて、その物体側の面（入射面）が物体側に凸であり、その像側の面（出射面）が像側に凹である。反射プリズムＰＲ２は、数値実施例１、２、５では、その物体側の面（入射面）と像側の面（出射面）の両面が球面であり（非球面ではなく）、数値実施例３、４では、その物体側の面（入射面）と像側の面（出射面）の両面が非球面である。
【００２２】
図３２は、本実施形態のズームレンズ系を組み込んだ撮像ユニット１００を示している。撮像ユニット１００は、撮像光学系を構成する第１レンズ群Ｇ１、第２レンズ群Ｇ２、第３レンズ群Ｇ３及び反射プリズムＰＲ２をハウジング１０１に保持した構造となっている。第１レンズ群Ｇ１及び反射プリズムＰＲ２はハウジング１０１内に固定されており、第２レンズ群Ｇ２及び第３レンズ群Ｇ３はハウジング１０１内を移動可能な変倍用光学系を構成している。
反射プリズムＰＲ１は、入射面ＰＲ１−ｉから入射する光束を、反射面ＰＲ１−ｒによって出射面ＰＲ１−ｏに向けて略直角に反射させる。反射プリズムＰＲ２は、入射面ＰＲ２−ｉから入射する光束を、反射面ＰＲ２−ｒによって出射面ＰＲ２−ｏに向けて略直角に反射して撮像センサ１０２に入射させる。このように本実施形態のズームレンズ系は、撮影対象（物体）に臨む入射側と撮像センサ１０１に臨む出射側にそれぞれ反射プリズムＰＲ１と反射プリズムＰＲ２を配置して光路を屈曲させることにより、薄型化を実現した屈曲光学系である。
【００２３】
そして本実施形態のズームレンズ系は、第３レンズ群Ｇ３と像面Ｉの間に、負の屈折力を持つ第４レンズ群Ｇ４として、負の屈折力を持つ反射プリズムＰＲ２を配置している。この負の屈折力を持つ反射プリズムＰＲ２に光学レンズの役割を持たせて収差補正に利用することで、レンズ枚数を削減し、限られたレンズ枚数での収差補正を可能にし、広角化を可能とした小型で高性能なズームレンズ系を実現している。また、負の屈折力を持つ反射プリズムＰＲ２の作用により、長焦点距離端において後側主点位置を物体側にしてレンズ全長を短縮することができる。
【００２４】
条件式（１）は、負の屈折力を持つ第４レンズ群Ｇ４を構成する負の屈折力を持つ反射プリズムＰＲ２のｄ線に対するアッベ数を規定している。条件式（１）を満足することで、特に短焦点距離端における色収差を良好に補正することができる。つまり、条件式（１）を満足するような高分散な反射プリズムＰＲ２を使用することで、第３レンズ群Ｇ３で発生した色収差を打ち消しやすくして、変倍時の色収差の変動を小さくすることができる。
条件式（１）の上限を超えると、特に短焦点距離端における色収差を良好に補正することができない。
【００２５】
上述したように、負の屈折力を持つ反射プリズムＰＲ２は、その物体側の面（入射面）が物体側に凸である。これにより、第３レンズ群Ｇ３で強く発散して反射プリズムＰＲ２に入射した発散光を良好に収束させることができる。
条件式（２）はこの構成において、反射プリズムＰＲ２の物体側の面（入射面）の曲率半径と、短焦点距離端における全系の焦点距離との比を規定している。条件式（２）を満足することで、テレセン性と良好な色収差補正を両立させることができる。
条件式（２）の上限を超えると、反射プリズムＰＲ２の物体側の面のパワーが弱くなりすぎて、第３レンズ群Ｇ３の最終面から出射した発散光を収束させるパワーが弱まるので、テレセン性が悪くなる。
条件式（２）の下限を超えると、反射プリズムＰＲ２の物体側の面のパワーが強くなりすぎて、反射プリズムＰＲ２全体としての負のパワーが弱まるので、特に短焦点距離端における倍率色収差補正が困難になる。
【００２６】
上述したように、負の屈折力を持つ反射プリズムＰＲ２は、その像側の面（出射面）が像側に凹である。
条件式（３）はこの構成において、反射プリズムＰＲ２の像側の面（出射面）の曲率半径と、短焦点距離端における全系の焦点距離との比を規定している。条件式（３）を満足することで、コンパクト性と良好な色収差補正を両立させることができる。
条件式（３）の上限を超えると、反射プリズムＰＲ２全体としての負のパワーが弱くなりすぎて、特に短焦点距離端における倍率色収差の補正が困難になる。また、後側主点位置が像側へ移動するため、レンズ系のコンパクト化に不利になる。
条件式（３）の下限を超えると、反射プリズムＰＲ２の物体側の面（入射面）よりも光線高が高い像側の面（出射面）のパワーが強くなりすぎて、軸外収差の補正が困難になる。
【００２７】
倍率色収差と軸外色収差を良好に補正して優れた光学性能を維持しつつ、さらにテレセン性とコンパクト性を確保するためには、条件式（２）及び（３）を同時に満足することが好ましい。
【００２８】
上述したように、第１レンズ群Ｇ１は、物体側から順に、負レンズ１１、及びその物体側の面（入射面）が物体側に凸であり正の屈折力を持つ反射プリズムＰＲ１から構成されている。これにより、第１レンズ群Ｇ１内においても反射プリズムＰＲ１を収差補正に利用することが可能となり、レンズ枚数の削減効果をより顕著に得ることができる。
条件式（４）はこの構成において、第１レンズ群Ｇ１中の反射プリズムＰＲ１のｄ線に対するアッベ数を規定している。条件式（４）を満足することで、変倍全域に亘って色収差を良好に補正することができる。つまり、条件式（４）を満足するような高分散な反射プリズムＰＲ１を使用することで、第１レンズ群Ｇ１内において、負レンズ１１で発生した色収差を反射プリズムＰＲ１で打ち消して、変倍時の色収差の変動を小さくすることができる。
条件式（４）の上限を超えると、短焦点距離端における倍率色収差及び長焦点距離端における軸上色収差が補正不足となり好ましくない。
【００２９】
条件式（５）は、長焦点距離端における全系の焦点距離と、第２レンズ群Ｇ２の焦点距離との比を規定している。条件式（５）を満足することで、レンズ系の小型化（薄型化）と高性能化を両立させることができる。
条件式（５）の上限を超えると、第２レンズ群Ｇ２のパワーが強くなりすぎて、収差補正が困難になるため高性能化に不利になる。
条件式（５）の下限を超えると、第２レンズ群Ｇ２のパワーが弱くなりすぎて、高変倍化が難しくなるとともに、短焦点距離端から長焦点距離端への変倍に際する第２レンズ群Ｇ２の移動量が増加し、小型化（薄型化）において不利である。
【実施例】
【００３０】
次に具体的な数値実施例を示す。以下の数値実施例は、本発明のズームレンズ系をデジタルカメラ等に用いる場合に対応している。諸収差図及び表中において、ｄ線、ｇ線、Ｃ線、Ｆ線、ｅ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３１】
［数値実施例１］
図１〜図６と表１〜表４は、本発明によるズームレンズ系の数値実施例１を示している。図１は長焦点距離端における無限遠合焦時のレンズ構成図、図２はその諸収差図であり、図３は中間焦点距離における無限遠合焦時のレンズ構成図、図４はその諸収差図であり、図５は短焦点距離端における無限遠合焦時のレンズ構成図、図６はその諸収差図である。表１は面データ、表２は各種データ、表３は非球面データ、表４はレンズ群データである。
【００３２】
本数値実施例１のズームレンズ系は、物体側から順に、負の屈折力を持つ第１レンズ群Ｇ１、正の屈折力を持つ第２レンズ群Ｇ２、正の屈折力を持つ第３レンズ群Ｇ３、及び負の屈折力を持つ反射プリズムＰＲ２から構成されている。負の屈折力を持つ反射プリズムＰＲ２は、負の屈折力を持つ第４レンズ群Ｇ４を構成している。第３レンズ群Ｇ３は、フォーカシング時に移動するフォーカスレンズ群である（無限遠物体から有限距離物体へ合焦させるに際し第３レンズ群Ｇ３を像側に移動させてフォーカシングを行う）。
【００３３】
第１レンズ群Ｇ１（面番号１から４）は、物体側から順に、両凹負レンズ１１、及び正の屈折力を持つ反射プリズムＰＲ１からなる。反射プリズムＰＲ１は、その物体側の面（入射面）が物体側に凸であり、その像側の面（出射面）が像側に凹である。反射プリズムＰＲ１は、その物体側の面（入射面）と像側の面（出射面）の両面が非球面である。
【００３４】
第２レンズ群Ｇ２（面番号６から９）は、物体側から順に、両凸正レンズ２１、及び物体側に凸の負メニスカスレンズ２２からなる。両凸正レンズ２１は、その両面が非球面である。第２レンズ群Ｇ２（両凸正レンズ２１）の物体側の面に接する光軸直交面上に位置する絞りＳ（面番号５）は、第２レンズ群Ｇ２と一体に移動する。
【００３５】
第３レンズ群Ｇ３（面番号１０から１１）は、１枚の像側に凸の平凸正レンズ３１からなる。平凸正レンズ３１は、その両面が非球面である。
【００３６】
負の屈折力を持つ反射プリズムＰＲ２（面番号１２から１３）は、その物体側の面（入射面）が物体側に凸であり、その像側の面（出射面）が像側に凹である。
【００３７】
（表１）
面データ
面番号          r          d          N(d)        νｄ
1          -144.433      0.500      1.69680       55.5
2             3.085      0.928
3*            7.992      4.226      1.63548       23.9
4*           42.998        d4
5絞            ∞        0.000
6*            4.010      1.438      1.59201       67.0
7*           -7.647      0.400
8             9.822      0.688      1.60641       27.2
9             3.194        d9
10*             ∞       0.986      1.54358       55.7
11*         -12.900       d11
12           19.458      4.423      1.60641       27.2
13           15.000        -
＊は回転対称非球面である。
（表２）
各種データ
ズーム比（変倍比）    2.85
短焦点距離端          中間焦点距離          長焦点距離端
FNO.            3.5                   4.3                   6.0
f              3.61                  5.21                 10.27
W              36.8                  25.4                  12.8
Y              2.30                  2.30                  2.30
fB             1.03                  1.03                  1.03
L             26.00                 26.00                 26.01
d4            7.413                 4.686                 0.300
d9            2.000                 4.683                 1.151
d11           1.974                 2.015                 9.939
（表３）
非球面データ（表示していない非球面係数は0.00である）
面番号   K          A4             A6             A8            A10
3      0.000   0.1819E-02     0.2222E-03    -0.1626E-04     0.4628E-05
4      0.000  -0.7711E-03    -0.1197E-03     0.8581E-04    -0.1169E-04
6      0.000  -0.2333E-02
7      0.000   0.1971E-02
10     0.000  -0.1211E-02    -0.1135E-03     0.3216E-04
11     0.000  -0.1423E-02    -0.7063E-04     0.2382E-04
（表４）
レンズ群データ
群                           始面          焦点距離
1（第１レンズ群Ｇ１）           1             -6.35
2（第２レンズ群Ｇ２）           6              7.35
3（第３レンズ群Ｇ３）          10             23.73
4（反射プリズムＰＲ２）        12           -172.62
【００３８】
［数値実施例２］
図７〜図１２と表５〜表８は、本発明によるズームレンズ系の数値実施例２を示している。図７は長焦点距離端における無限遠合焦時のレンズ構成図、図８はその諸収差図であり、図９は中間焦点距離における無限遠合焦時のレンズ構成図、図１０はその諸収差図であり、図１１は短焦点距離端における無限遠合焦時のレンズ構成図、図１２はその諸収差図である。表５は面データ、表６は各種データ、表７は非球面データ、表８はレンズ群データである。
【００３９】
この数値実施例２のレンズ構成は、数値実施例１のレンズ構成と同様である。
【００４０】
（表５）
面データ
面番号          r          d          N(d)        νｄ
1          -516.136      0.500      1.69680       55.5
2             2.884      1.112
3*           10.314      4.347      1.63548       23.9
4*           84.904        d4
5絞            ∞        0.000
6*            4.821      2.744      1.55332       71.7
7*           -4.935      0.400
8            10.113      0.672      1.60641       27.2
9             3.454        d9
10*            ∞        0.996      1.54358       55.7
11*         -15.651       d11
12           12.565      4.423      1.60641       27.2
13           10.000       -
＊は回転対称非球面である。
（表６）
各種データ
ズーム比（変倍比）    2.87
短焦点距離端          中間焦点距離          長焦点距離端
FNO.            3.5                   4.6                   5.9
f              3.01                  5.06                  8.63
W              42.7                  26.2                  15.4
Y              2.30                  2.30                  2.30
fB             1.00                  1.00                  1.01
L             27.03                 27.03                 27.00
d4            7.562                 3.793                 0.300
d9            2.000                 5.888                 1.000
d11           1.273                 1.157                 9.496
（表７）
非球面データ（表示していない非球面係数は0.00である）
面番号   K          A4             A6             A8            A10
3      0.000   0.2390E-02     0.4593E-03    -0.5055E-04     0.9365E-05
4      0.000  -0.8829E-03     0.1191E-03     0.4734E-04    -0.7808E-05
6      0.000  -0.3801E-02
7      0.000   0.1078E-02
10     0.000  -0.5986E-02     0.1289E-02    -0.3152E-04
11     0.000  -0.6037E-02     0.8594E-03     0.1647E-04
（表８）
レンズ群データ
群                           始面          焦点距離
1（第１レンズ群Ｇ１）           1             -5.63
2（第２レンズ群Ｇ２）           6              7.16
3（第３レンズ群Ｇ３）          10             28.79
4（反射プリズムＰＲ２）        12           -231.37
【００４１】
［数値実施例３］
図１３〜図１８と表９〜表１２は、本発明によるズームレンズ系の数値実施例３を示している。図１３は長焦点距離端における無限遠合焦時のレンズ構成図、図１４はその諸収差図であり、図１５は中間焦点距離における無限遠合焦時のレンズ構成図、図１６はその諸収差図であり、図１７は短焦点距離端における無限遠合焦時のレンズ構成図、図１８はその諸収差図である。表９は面データ、表１０は各種データ、表１１は非球面データ、表１２はレンズ群データである。
【００４２】
この数値実施例３のレンズ構成は、反射プリズムＰＲ２の物体側の面（入射面）と像側の面（出射面）の両面が非球面である点を除き、数値実施例１のレンズ構成と同様である。
【００４３】
（表９）
面データ
面番号          r          d          N(d)        νｄ
1           -34.299      0.500      1.69680       55.5
2             3.100      0.874
3*            8.140      4.299      1.63548       23.9
4*           36.158        d4
5絞            ∞        0.000
6*            4.583      2.165      1.55332       71.7
7*           -5.406      0.400
8             9.827      0.722      1.60641       27.2
9             3.673        d9
10*            ∞        0.975      1.54358       55.7
11*         -14.410       d11
12*          15.170      4.423      1.68893       31.2
13*          11.000        -
＊は回転対称非球面である。
（表１０）
各種データ
ズーム比（変倍比）    2.93
短焦点距離端          中間焦点距離          長焦点距離端
FNO.            3.5                   4.6                   5.9
f              3.00                  5.10                  8.80
W              42.2                  24.3                  14.0
Y              2.30                  2.30                  2.30
fB             1.00                  1.00                  0.99
L             25.90                 25.89                 25.89
d4            7.330                 3.679                 0.319
d9            2.000                 5.715                 1.125
d11           1.213                 1.139                 9.094
（表１１）
非球面データ（表示していない非球面係数は0.00である）
面番号   K          A4             A6             A8            A10
3      0.000   0.2232E-02     0.2431E-03    -0.1565E-04     0.4676E-05
4      0.000  -0.7383E-03    -0.8727E-04     0.1192E-03    -0.1908E-04
6      0.000  -0.3563E-02
7      0.000   0.1085E-02
10     0.000  -0.4295E-02     0.6693E-03    -0.1776E-04
11     0.000  -0.4405E-02     0.4353E-03     0.9364E-05
12     0.000   0.5154E-03    -0.2002E-03     0.1794E-04
13     0.000   0.9468E-02    -0.2045E-02     0.3651E-03
（表１２）
レンズ群データ
群                           始面          焦点距離
1（第１レンズ群Ｇ１）           1             -5.57
2（第２レンズ群Ｇ２）           6              6.80
3（第３レンズ群Ｇ３）          10             26.51
4（反射プリズムＰＲ２）        12           -102.40
【００４４】
［数値実施例４］
図１９〜図２４と表１３〜表１６は、本発明によるズームレンズ系の数値実施例４を示している。図１９は長焦点距離端における無限遠合焦時のレンズ構成図、図２０はその諸収差図であり、図２１は中間焦点距離における無限遠合焦時のレンズ構成図、図２２はその諸収差図であり、図２３は短焦点距離端における無限遠合焦時のレンズ構成図、図２４はその諸収差図である。表１３は面データ、表１４は各種データ、表１５は非球面データ、表１６はレンズ群データである。
【００４５】
この数値実施例４のレンズ構成は、反射プリズムＰＲ１の物体側の面（入射面）と像側の面（出射面）の両面が球面である（非球面ではない）点を除き、数値実施例３のレンズ構成と同様である。
【００４６】
（表１３）
面データ
面番号          r          d          N(d)        νｄ
1           -21.004      0.500      1.69680       55.5
2             4.728      1.673
3             5.979      5.069      1.63548       23.9
4            10.551        d4
5絞            ∞        0.000
6*            4.815      1.168      1.59201       67.0
7*           -7.943      0.400
8            28.696      0.705      1.60641       27.2
9             4.875        d9
10*            ∞        0.952      1.54358       55.7
11*         -15.092       d11
12*          10.239      4.423      1.60641       27.2
13*           8.500        -
＊は回転対称非球面である。
（表１４）
各種データ
ズーム比（変倍比）    2.85
短焦点距離端          中間焦点距離          長焦点距離端
FNO.            3.5                   4.0                   5.9
f              4.00                  5.05                 11.40
W              34.7                  25.9                  10.8
Y              2.30                  2.30                  2.30
fB             1.00                  1.00                  1.00
L             29.63                 29.63                 29.64
d4            8.378                 6.362                 0.300
d9            2.197                 4.352                 1.227
d11           3.164                 3.023                12.220
（表１５）
非球面データ（表示していない非球面係数は0.00である）
面番号   K          A4             A6             A8            A10
6      0.000  -0.1415E-02
7      0.000   0.1446E-02
10     0.000   0.5525E-03    -0.1559E-03     0.9051E-05
11     0.000   0.2841E-03    -0.4881E-04     0.2409E-05
12     0.000   0.1304E-03     0.4471E-03    -0.7823E-04     0.4892E-05
13     0.000  -0.5800E-02     0.5656E-02    -0.1023E-02     0.1286E-03
（表１６）
レンズ群データ
群                           始面          焦点距離
1（第１レンズ群Ｇ１）           1             -7.73
2（第２レンズ群Ｇ２）           6              8.62
3（第３レンズ群Ｇ３）          10             27.76
4（反射プリズムＰＲ２）        12          -2075.26
【００４７】
［数値実施例５］
図２５〜図３０と表１７〜表２０は、本発明によるズームレンズ系の数値実施例５を示している。図２５は長焦点距離端における無限遠合焦時のレンズ構成図、図２６はその諸収差図であり、図２７は中間焦点距離における無限遠合焦時のレンズ構成図、図２８はその諸収差図であり、図２９は短焦点距離端における無限遠合焦時のレンズ構成図、図３０はその諸収差図である。表１７は面データ、表１８は各種データ、表１９は非球面データ、表２０はレンズ群データである。
【００４８】
この数値実施例５のレンズ構成は、数値実施例１のレンズ構成と同様である。
【００４９】
（表１７）
面データ
面番号          r          d          N(d)        νｄ
1          -856.554      0.500      1.69680       55.5
2             2.730      1.168
3*           10.312      4.185      1.63548       23.9
4*           70.508        d4
5絞            ∞        0.000
6*            4.768      2.927      1.55332       71.7
7*           -4.932      0.400
8             9.711      0.679      1.60641       27.2
9             3.505        d9
10*            ∞        0.998      1.54358       55.7
11*         -14.442       d11
12           20.000      4.423      1.60641       27.2
13           10.000        -
＊は回転対称非球面である。
（表１８）
各種データ
ズーム比（変倍比）    2.88
短焦点距離端          中間焦点距離          長焦点距離端
FNO.            3.5                   4.6                   5.8
f              3.00                  5.05                  8.65
W              43.8                  26.4                  15.3
Y              2.30                  2.30                  2.30
fB             1.00                  1.00                  1.00
L             26.90                 26.90                 26.86
d4            7.372                 3.737                 0.300
d9            2.000                 5.727                 1.047
d11           1.243                 1.156                 9.237
（表１９）
非球面データ（表示していない非球面係数は0.00である）
面番号   K          A4             A6             A8            A10
3      0.000   0.2925E-02     0.4620E-03    -0.4634E-04     0.1103E-04
4      0.000  -0.7561E-03     0.9446E-04     0.5113E-04    -0.1032E-04
6      0.000  -0.3573E-02
7      0.000   0.1447E-02
10     0.000  -0.4796E-02     0.9873E-03    -0.3682E-04
11     0.000  -0.5094E-02     0.7086E-03    -0.5571E-05
（表２０）
レンズ群データ
群                           始面          焦点距離
1（第１レンズ群Ｇ１）           1             -5.21
2（第２レンズ群Ｇ２）           6              6.92
3（第３レンズ群Ｇ３）          10             26.57
4（反射プリズムＰＲ２）        12            -39.59
【００５０】
各数値実施例の各条件式に対する値を表２１に示す。
（表２１）
実施例１       実施例２       実施例３
条件式（１）           27.2           27.2           31.2
条件式（２）            5.4            4.2            5.0
条件式（３）            4.2            3.3            3.7
条件式（４）           23.9           23.9           23.9
条件式（５）            1.4            1.2            1.3
実施例４       実施例５
条件式（１）           27.2           27.2
条件式（２）            2.6            6.7
条件式（３）            2.1            3.3
条件式（４）           23.9           23.9
条件式（５）            1.3            1.2
【００５１】
表２１から明らかなように、数値実施例１〜数値実施例５は、条件式（１）〜（５）を満足しており、また諸収差図から明らかなように諸収差は比較的よく補正されている。
【符号の説明】
【００５２】
Ｇ１  負の屈折力を持つ第１レンズ群
Ｇ２  正の屈折力を持つ第２レンズ群
Ｇ３  正の屈折力を持つ第３レンズ群
Ｇ４  負の屈折力を持つ第４レンズ群
１１  負レンズ
２１  正レンズ
２２  負レンズ
３１  正レンズ
ＰＲ１  正の屈折力を持つ反射プリズム
ＰＲ２  負の屈折力を持つ反射プリズム
Ｓ  絞り
Ｉ  像面
【図１】
0005551055.tif 000002
【図２】
0005551055.tif 000003
【図３】
0005551055.tif 000004
【図４】
0005551055.tif 000005
【図５】
0005551055.tif 000006
【図６】
0005551055.tif 000007
【図７】
0005551055.tif 000008
【図８】
0005551055.tif 000009
【図９】
0005551055.tif 000010
【図１０】
0005551055.tif 000011
【図１１】
0005551055.tif 000012
【図１２】
0005551055.tif 000013
【図１３】
0005551055.tif 000014
【図１４】
0005551055.tif 000015
【図１５】
0005551055.tif 000016
【図１６】
0005551055.tif 000017
【図１７】
0005551055.tif 000018
【図１８】
0005551055.tif 000019
【図１９】
0005551055.tif 000020
【図２０】
0005551055.tif 000021
【図２１】
0005551055.tif 000022
【図２２】
0005551055.tif 000023
【図２３】
0005551055.tif 000024
【図２４】
0005551055.tif 000025
【図２５】
0005551055.tif 000026
【図２６】
0005551055.tif 000027
【図２７】
0005551055.tif 000028
【図２８】
0005551055.tif 000029
【図２９】
0005551055.tif 000030
【図３０】
0005551055.tif 000031
【図３１】
0005551055.tif 000032
【図３２】
0005551055.tif 000033